(57)【要約】【課題】マウント用チップＬＥＤの各端子に予め所定長のリード線をロウ付け又は圧接ないしは半田付けをし、さらに、そのリード線の他端にはミニコネクタ(例えば「オス型」）を接続したものを複数用意する一方、このミニコネクタ(例えば「オス型ミニコネクタ」）に対応するミニコネクタ(例えば「メス型ミニコネクタ」）が接続された複数のハーネスおよびこのハーネスが接続される制御ブロックからなるミニュチュアライトキットを提供することを目的とする。【解決手段】マウント用チップＬＥＤを利用するミニチュアライトキットにおいて、リード線の一端にマウント用チップＬＥＤを配置し、他端にオス型コネクタを配置した一又は複数のＬＥＤ部と、このオス型コネクタに接続されるメス型コネクタが接続された複数のリード線からなるハーネス束と、このハーネス束の他端に接続される前記チップＬＥＤを駆動する制御ブロックとからなる。【選択図】  図３
0003125289.tif 000002
【実用新案登録請求の範囲】
【請求項１】
リード線の一端にマウント用チップＬＥＤを配置し、他端にオス型コネクタを配置した一又は複数のＬＥＤ部と、
このオス型コネクタに接続されるメス型コネクタが接続された複数のリード線からなるハーネス束と、
このハーネス束の他端に接続される前記チップＬＥＤを駆動する制御ブロックとからなることを特徴とするマウント用チップＬＥＤを利用するミニチュアライトキット。
【請求項２】
前記ＬＥＤ部は、リード線の一端にオス型コネクタが接続され、他端に所定の間隔で並列接続される複数のマウント用チップＬＥＤが接続されたものであることを特徴とする請求項１に記載のマウント用チップＬＥＤを利用するミニチュアライトキット。
【請求項３】
前記ＬＥＤ部のマウント用チップＬＥＤに代え、砲弾型ＬＥＤのリード線の他端にオス型コネクタを配置した一また複数のＬＥＤ部であることを特徴とする請求項１に記載のマウント用チップＬＥＤを利用するミニチュアライトキット。
【請求項４】
前記ハーネス束は、一端にメス型コネクタ、他端にオス型コネクタが接続された一又は複数の延長用又は分岐用リード線を付加してなることを特徴とする請求項１に記載のマウント用チップＬＥＤを利用するミニチュアライトキット。
【考案の詳細な説明】
【技術分野】
【０００１】
本考案は、ドールハウス等のミニチュア造形（クラフト工芸、シャドウボックス、ブリザードフラワー、トールペイント、ペーパークラフト、ワイヤーアート、粘土工芸、ステンドグラス、アメリカンフラワー、ビーズクラフト、ドールハウス、卓上クリスマスツリー、リース等）に使用されるミニチュアライトキットに関する。特に、ＬＥＤ(発光ダイオード）を利用するミニュチュアライトキットに関する。
【背景技術】
【０００２】
従来、ドールハウスと称される模型クラフト造形等の趣味やホビーで使用されるミニチュア模型がある。これらのミニチュア模型は、人工の町並みや家屋模型にあたかも人が住んでいるような暖かみを演出したりして、精巧な模型であることを特色とする。また、自然の風景模型として、例えば、冬の森林夜景等の模型等、多種多様に創作者が相違と工夫を凝らして作り上げる造形作品であるところに特徴がある。
【０００３】
そして、これらの模型クラフト造形においては、ときとして、精巧さのために、あるいは、より装飾的に綺麗さを演出するために、例えば、家屋模型の内部を照明したり、星空の星の輝きを再現したりするミニチュアライトと称される小さな電球(豆電球）や麦球と称する電球を用いることがある(特許文献１：http://www2.ttcn.ne.jp/~ota-minilights/）。
【０００４】
図７は、この種の従来のドールハウス、模型クラフト造形に使用される豆電球(以下、ときとして「豆球」とも称する）・麦球の概略を示すものである。なお、ここに「麦球」とは、「麦粒大の大きさの電球」をいうもので、ドールハウス、ミニチュア模型に使用される豆球・麦球としては、電球部が５ｍｍ〜１５ｍｍ程度の大きさのもので、ネジ式のものやリード線が直結された形式のものである。図７中、符号１０１は、E5ネジ球（QT-5531ナツメ型）であり、その大きさは全長１６ミリ、ネジ径５ミリ、符号１０２は、E5ネジ球（CK-1010-7D丸型）であり、全長１３．５ミリ、ネジ径５ミリ、符号１０３は、12V用麦球GOWサイズ（QT-5511ナツメ型）であり、高さ６ミリ、径３ミリ、符号１０４は、12V用麦球GOWサイズ（CK-1010-1ナツメ型）であり、高さ６ミリ、径３ミリ、符号１０５は、12V用麦球GORサイズ（CK-1010-6Aナツメ型）であり、高さ６ミリ、径２．３ミリ、符号１０６は、炎型ネジ球（CK-1010-29)であり、全長１７ミリ、ネジ径３．２ミリのそれぞれ豆球・麦球である。そして、これらの豆球・麦球は、ミニチュアライトという要請から、１２Ｖ動作が一般的であって、４０ｍＡ〜６０ｍＡ程度の容量を有するものが使用される。
【特許文献１】http://www2.ttcn.ne.jp/~ota-minilights/
【考案の開示】
【考案が解決しようとする課題】
【０００５】
ところで、近年、新たな光源としてＬＥＤ発光ダイオード(以下、単に「ＬＥＤ」と称する）が出現するに至り、これをミニチュアライトとして使用することが考えられる。しかしながら、ＬＥＤ光源は、構造上、より小さなものが作られ、これらのＬＥＤは、例えば、携帯電話のボタンインジケータへの使用や、同着信サインへ使用される。そして、それらは、一般的に、半導体部品を実装するため基板上にマウントして実装されることが予定され、販売されるほとんどのＬＥＤは、マウント実装チップＬＥＤを前提としたＬＥＤである。ここで、マウント実装の概念について説明する。
【０００６】
図８は、ＬＥＤを含む半導体チップ等のマウント実装の概念を示す図であり、図中、１１０は、半導体チップ、１１１は、実装する基板を、１１２は電極、１１３は、この電極１１２上に塗布されるクリーム半田である。このようにクリーム半田１１３を塗布した上に所定のチップ部品、例えば、チップＬＥＤを所定の方向で載せて加熱することにより、チップＬＥＤがマウントされ、この基板１１１を所定の電気器具、例えば、携帯電話等に搭載して使用することとなる
【０００７】
ここでマウント実装されて使用されるＬＥＤ(以下、「チップＬＥＤ」と称する）は、大きさとしては、２．１ｍｍ×０．８ｍｍ程度大きさのものや、２．１ｍｍ×２．５ｍｍ大のもの、２．０ｍｍ×１．６ｍｍ大のもの等多種多様であり、また、その発色としても近年では、白色、青色、緑色、黄色、赤色、橙色等多数の色彩で発光するものが知られている。図９は、標準的な１．６ｍｍ×０．８ｍｍのいわゆる１６０８チップＬＥＤ１１０の基本形状を示す図である。チップＬＥＤ１１０もダイオードの電気的方向性があり、図９に示すように、いわゆる極性端子（Polarity Mark）とカソード端子（Cathode Mark）が決められている。図９において、（−）は、カソードマーク、（＋）は、ポラリティーマーク、１１５は、発光面である。
【０００８】
上述するように、これらマウント用チップＬＥＤに共通する点は、これらのＬＥＤは全て所定の寸法の基板上に実装(マウント)されて使用されるので、リード線は接続されてないことである。
そこで、このようなマウント用チップＬＥＤを上述したミニチュア模型用のミニチュアライトとして使用するためには、１．６ｍｍ×０．８ｍｍ程度大きさのチップＬＥＤのそれぞれの接続端子の一つ一つにリード線を半田付けし、さらに、そのリード線を定電圧電源等に変換された各端子に半田付け等によって電気的に接続する必要がある。
【０００９】
しかしながら、ミニチュア模型は、模型という一定の大きさに纏め上げるものではあるが、その限られた寸法内にミニチュアライトを配置するとしても、そのライトのリード線の長さを一定にすることはできず、ＬＥＤ、特にマウント用チップＬＥＤをミニチュアライトとして使用することは難しかった。特に、ミニチュア模型創作に携わる人々は女性が多く、趣味的に携わるこれらのご婦人方にチップＬＥＤのカソードマーク（−）、ポラリティーマーク（＋）のそれぞれにリード線を半田付けさせる技術を習得して貰うことは困難が伴っていたというのが実情であった。
【００１０】
そこで、本考案は、これらマウント用チップＬＥＤの各端子に予め所定長のリード線をロウ付け又は圧接ないしは半田付けをし、さらに、そのリード線の他端にはミニコネクタ(例えば「オス型」）を接続したものを複数用意する一方、このミニコネクタ(例えば「オス型ミニコネクタ」）に対応するミニコネクタ(例えば「メス型ミニコネクタ」）が接続された複数のハーネスおよびこのハーネスが接続される制御ブロックからなるミニュチュアライトキットを提供することを目的とするものである。
【課題を解決するための手段】
【００１１】
上記目的を達成するために、本願請求項１に係る考案は、マウント用チップＬＥＤを利用するミニチュアライトキットにおいて、リード線の一端にマウント用チップＬＥＤを配置し、他端にオス型コネクタを配置した一又は複数のＬＥＤ部と、このオス型コネクタに接続されるメス型コネクタが接続された複数のリード線からなるハーネス束と、このハーネス束の他端に接続される前記チップＬＥＤを駆動する制御ブロックとからなることを特徴とする。
また、本願請求項２係る考案は、前記請求項１に係るマウント用チップＬＥＤを利用するミニチュアライトキットにおいて、前記ＬＥＤ部は、リード線の一端にオス型コネクタが接続され、他端に所定の間隔で並列接続される複数のマウント用チップＬＥＤが接続されたものであることを特徴とする。
さらに、本願請求項３に係る考案は、前記請求項１に記載のマウント用チップＬＥＤを利用するミニチュアライトキットにおいて、前記ＬＥＤ部のマウント用チップＬＥＤに代え、砲弾型ＬＥＤのリード線の他端にオス型コネクタを配置した一また複数のＬＥＤ部であることを特徴とする。
そして、本願請求項４に係る考案は、前記請求項１に記載のマウント用チップＬＥＤを利用するミニチュアライトキットにおいて、前記ハーネス束は、一端にメス型コネクタ、他端にオス型コネクタが接続された一又は複数の延長用又は分岐用リード線を付加してなることを特徴とする。
【考案の効果】
【００１２】
本考案に係るミニチュアライトキットによれば、ドールハウスと称される模型クラフト造形等の趣味やホビーで使用されるミニチュア模型において、小さな穴を開けて小さなＬＥＤを差し込んで接着するだけで、従来の豆電球・麦球を使用するのと同じ感覚で容易にミニチュア模型に使用することができ、その際にも、ＬＥＤを使用する場合に必須の細かな半田付け作業を模型創作現場から排除することができる。
また、より小さなＬＥＤを使用するので、従来の豆電球・麦球等では達成できないほどの小さな照明が可能となり、豆球・麦球では達成できない微細な立体描写が可能となる。
また、ミニチュア模型の照明に誰もが簡単に搭載することができ、模型の魅力が増大できる。
さらには、ＬＥＤを使用するため、豆電球・麦球を使用するものより省エネ・省電力化が達成できる。
【考案を実施するための最良の形態】
【００１３】
本考案の最良の実施の形態に係るＬＥＤ(発光ダイオード）を利用するミニチュアライトキットについて図面に基づいて説明する。図１（Ａ）は、本考案の最良の形態に係るＬＥＤ(発光ダイオード）を利用するミニチュアライトキットのＬＥＤ部１の概略を示すもので、一端に１．６ｍｍ×０．８ｍｍの大きさのＬＥＤ２と、このＬＥＤ２の上記各端子（＋）、（−）にロウ付け又は圧接ないしは半田付けにより接続されたφ０．１６ｍｍのより線３が接続されている。そして、このより線３の他端には、ミニコネクタ４が接続され、全体を７５ｍｍ長に調整したものである。
【００１４】
なお、図１（Ａ）には、単一の一つのＬＥＤ部１の基本構成を示しているが、各種の色の発光のもの、あるいは、大きさの異なるもの、さらには、リード線３の長さを５０ｍｍ、１００ｍｍ等の種々の長さにしたものをいくつか予め用意しておくようにする。また、図１（Ａ）では、本実施の形態において使用するミニコネクタの概略として、一つのミニコネクタ４に対して一つのＬＥＤ２が接続されているが、これは、一つのＬＥＤに限らず、例えば、図１（Ｂ）に示すように、一つのコネクタに複数のチップＬＥＤ部１を有するものであっても良く、また、そのＬＥＤ間隔としては、３０ｍｍピッチや４０ｍｍピッチで、５．６個のＬＥＤが並列に接続されるようにしても良い。なお、考案の最良の実施の態様に係るＬＥＤ(発光ダイオード）を利用するミニチュアライトキットに使用するＬＥＤとしてマウント用チップＬＥＤを使用したが、これは砲弾型ＬＥＤであっても良い。
【００１５】
また、本考案の最良の実施の態様に係るＬＥＤ(発光ダイオード）を利用するミニチュアライトキットに使用するミニコネクタ４は、図２に示すように、オス・メス兼用２Ｐコネクタを使用し、二つの端子のうちの一方、例えば、図１に示すように、下側の端子にプラスを示す刻印（図示外）がされ、接続の際に電気的整合が担保できるようにされており、前記リードより線３を接続する際には、各線を半田付けして接続し、本実施の形態においては、既に接続されたものを複数用意しておく。さらには、本実施の形態においては、ミニコネクタ４として、上述するように、図２に示す「オス・メス兼用２Ｐコネクタ」を使用したが、これは、このタイプのコネクタに限るものではなく、２．５ｍｍ×５．０８ｍｍ程度の大きさのミニコネクタであれば、どのようなタイプのものであっても良い。
【００１６】
また、図３は、本考案に係るＬＥＤ(発光ダイオード）を利用するミニチュアライトキットのハーネス部１０を示すもので、図３中、１１は、複数のリードより線からなるハーネス束１１であり、各リードより線の先端にはミニコネクタ（メス型）４1、４2、・・・・が接続されている。ハーネス束１１の他端は、本実施の形態においては、フラットケーブル用５０ピンコネクタ（オス型）１３が接続されている。また、当該ピンコネクタ（オス型）１３は基板１４上に配置されたメス型ピンコネクタ１５に接続され、各リード線１１1、１１2、・・・には、ＬＥＤ定格電圧（５Ｖ）が定電圧で必要以上の電流が流れないようにする電流制限抵抗１６が接続される外、ＩＣ等を含む制御ブロック（図示外）から構成される。なお、図３中、１７は、図示外電源装置からの所定の電圧・電流を得る入力端子である。
【００１７】
本実施の形態に係るＬＥＤ(発光ダイオード）を利用するミニチュアライトキットに使用するハーネス束１１の他端にフラットケーブル用５０ピンコネクタ(オス型）１３並びにこれに接続されるピンコネクタ(メス型）１５が使用したが、これは、これらのピンコネクタを使用することなく、制御ブロック(図示外)に直接接続されるようにしてもしても良い。
【００１８】
また、本実施の形態に係るＬＥＤ(発光ダイオード）を利用するミニチュアライトキットに使用するハーネス束１１は、１７個のＬＥＤを点灯させるように１７本のより線を用い、前記基板１４からおよそ３０ｃｍの長さとしたが、これは、８個のＬＥＤ用の１６本のより線を用いるもの、４０個のＬＥＤの４０本のリードより線を用いるもの等、適宜のＬＥＤの数に対応するものであっても良く、また、適宜の長さに対応するものでああってもよい。さらには、前記ハーネス束１１には、一端にメス型コネクタ４、他端にオス型コネクタ４が接続された一又は複数の延長用又は分岐用リード線を付加できるようにしても良い。
【００１９】
上述のように構成された本考案の最良の実施の形態に係るＬＥＤ(発光ダイオード）を利用するミニチュアライトキットを点灯するには、前記電源装置に家庭用電源を接続し、前記制御ブロックに入力すると、前記制御ブロックでは、前記マウント用チップＬＥＤを点灯する所定の電圧・電流に制御して、一又は複数のマウント用チップＬＥＤを点灯することを可能にする。
【００２０】
次に、本考案の最良の形態に係るＬＥＤ(発光ダイオード）を利用するミニチュアライトキットをミニチュア模型ボックスに装着して立体的な３Ｄイルミネーション演出を実現する方法について説明する。
【００２１】
〔イルミネーションブロックの作成〕
イルミネーションブロックとは、ミニチュア模型ボックスの中に配置されるシャンデリヤ、クリスマスツリー、ロウソク等の模型小物をいう。図４は、これらイルミネーションブロックの例としてシャンデリア形状のイルミネーションブロックの概略を示すもので、このシャンデリア形状のイルミネーションブロック４１は、５ｃｍ×４ｃｍ程度の大きさのものである。このシャンデリア形状のイルミネーションブロック４１に上記のＬＥＤを光る面を表にして接着剤等で固定する。図４において、４１は、シャンデリアの形に切り抜かれたイルミネーションブロックであり、当該シャンデリア形状のイルミネーションブロック４１には、適宜の位置に前記チップＬＥＤ２が固定される。また、該チップＬＥＤ２には、前記リードより線３が直結されている。図４中、２は、ＬＥＤ、３はリードより線、４はミニコネクタである。
【００２２】
次に、図５に示すようなミニチュア模型の背景図３１に前記イルミネーションブロック４１を取り付ける。図５に示す背景図３１は、サンタクロースが部屋の中に入り込む様子を描いたものである。そして、遠近感や立体感を演習するために、当該背景図３１の所定の箇所、例えば、屋根裏のランプやローソクの位置に穴を開けて裏から前記チップＬＥＤを配置し、発光が見えるようにする。また、前記背景図３１に重ねて、前記チップＬＥＤ２が固定されたイルミネーションブロック４１を配置し、チップＬＥＤ２の発する光と前記イルミネーションブロック４１等によって遮られる陰によってミニチュア模型ボックス内に遠近感、立体感を演出する。この実施の態様においては、サンタクロースの頭上に前述のチップＬＥＤ２を光る面を表にして接着剤等で固定されたシャンデリアのイルミネーションブロック４１が配置され、また、手前に別のイルミネーションブロックであるクリスマスツリー４２が配置され、サンタクロースの横に他のイルミネーションブロックであるローソクが配置される。
【００２３】
〔ミニチュア模型ボックスの作成〕
次に、このイルミネーションブロック４１等が配置された背景図５１を市販の額縁等に収納して上述のドールハウス等のミニチュア模型ボックスの作成の過程を説明する。
【００２４】
本考案の最良の形態に係るＬＥＤ(発光ダイオード）を利用するミニチュアライトキットを装着して立体的な３Ｄイルミネーションを達成するミニチュア模型ボックスは、図６（Ａ)に示すように、奥行きをもった額縁等によって遠近感、立体感を演出するものである。図６（Ａ）は、当該ミニチュア模型ボックス６１の概略を示す図であり、基本的には、次のような構成からなる。裏板３０に前記チップＬＥＤを配置した背景図３１を貼り付け、所定のスペーサ３２を介して、所定の固定木片３３を内側に配置した本体枠３４で囲った構造からなる。
【００２５】
この構造からなるミニチュア模型ボックスを裏から見ると、図６（Ｂ）に示すように、額縁３５にガラス板３６および窓シート３７を介した縁枠３８に前記本体枠３４が固定されるように作成される。なお、前記本体枠３４には、ミニチュア模型ボックスには、図示は省略するが、同ボックスの内側の全体を照らすために全体照明用のＬＥＤが配置される(図示外）。そうすると、この全体照明により全体の明るさが得られるとともに、各装飾イルミネーションブロック４１の配置とその影等により遠近感、立体感を演出できる。
【図面の簡単な説明】
【００２６】
【図１】図１（Ａ）は、本考案の最良の形態に係るＬＥＤ(発光ダイオード）を利用するミニチュアライトキットのＬＥＤ部１の概略を示す図、図１（Ｂ）は、一つのコネクタに複数のチップＬＥＤ部１を有する本考案の最良の形態に係るＬＥＤ(発光ダイオード）を利用するミニチュアライトキットのＬＥＤ部１の概略を示す図である。
【図２】図２は、本考案の最良の実施の態様に係るＬＥＤ(発光ダイオード）を利用するミニチュアライトキットに使用するオス・メス兼用２Ｐコネクタを使用したミニコネクタの概略を示す図である。
【図３】図３は、本考案に係るＬＥＤ(発光ダイオード）を利用するミニチュアライトキットのハーネス部１０を示す図である。
【図４】図４は、これらイルミネーションブロックの例としてシャンデリア形状のイルミネーションブロックを示す概略図である。
【図５】図５は、ミニチュア模型の背景図３１の概略を示す図である。
【図６】図６は、本考案の最良の形態に係るＬＥＤ(発光ダイオード）を利用するミニチュアライトキットを装着して立体的な３Ｄイルミネーションを達成するミニチュア模型ボックスの概略図であり、同図（Ａ)は、当該ミニチュア模型ボックス６１の概略構成を示す図であり、同図（Ｂ）は、裏側から見た当該ミニチュア模型ボックス６１の概略構成を示す図である。
【図７】図７は、この種の従来のドールハウス、模型クラフト造形に使用される豆電球(以下、ときとして「豆球」とも称する）・麦球の概略を示す図である。
【図８】図８は、ＬＥＤを含む半導体チップ等のマウント実装の概念を示す図である。
【図９】図９は、標準的な１．６ｍｍ×０．８ｍｍのいわゆる１６０８チップＬＥＤの基本形状を示す図である。
【符号の説明】
【００２７】
１  ＬＥＤ部
２  ＬＥＤ
３  リードより線
４、４1、４2、・・・  ミニコネクタ
１０  ハーネス部
１１  ハーネス束
１２1、１２2、・・・  リード線  
１３  フラットケーブル用５０ピンコネクタ（オス型）
１４  基板
１５  フラットケーブル用５０ピンコネクタ（メス型）
１６  電流制限抵抗
１７  電源入力端子
３０  裏板
３１  背景図
３２  スペーサ
３３  固定木片
３４  本体枠
３５  額縁
３６  ガラス板
３７  窓シート
３８  縁枠
４１  シャンデリア形状のイルミネーションブロック
４２  クリスマスツリー形状のイルミネーションブロック
６０  ミニチュア模型ボックス
１０１  E5ネジ球（QT-5531ナツメ型）
１０２  E5ネジ球（CK-1010-7D丸型）
１０３  12V用麦球GOWサイズ（QT-5511ナツメ型）
１０４  12V用麦球GOWサイズ（CK-1010-1ナツメ型）
１０５  12V用麦球GORサイズ（CK-1010-6Aナツメ型）
１０６  炎型ネジ球（CK-1010-29)
（＋）、（−）  ＬＥＤ端子
【図１】
0003125289.tif 000003
【図２】
0003125289.tif 000004
【図３】
0003125289.tif 000005
【図４】
0003125289.tif 000006
【図５】
0003125289.tif 000007
【図６】
0003125289.tif 000008
【図７】
0003125289.tif 000009
【図８】
0003125289.tif 000010
【図９】
0003125289.tif 000011